(57)【要約】【課題】自転車や車椅子等車両の検査においてその車両及び空気圧によるパンク等各部の検査・乗り心地等の検査ができるようにする。【解決手段】歩行訓練機等の走行ベルトや回転ドラムと実際路面に似た路面を形成・組み合わせ及び実際路面上を走るのに似た路面状態を走行機械的あるいはＩＴプログラム等で制御・動作させて、その上部を自転車や車椅子等車両に実際に乗るか荷重をかけてタイヤを回転させ、実際の乗り心地を実体験に近い疑似体験により空気圧によるパンク等の検査・乗り心地等の検査を行なう装置を使う。【選択図】図１
0003130062.tif 000002
【実用新案登録請求の範囲】
【請求項１】
歩行訓練機等の走行ベルトや回転ドラム上に実際路面に似た路面を形成・組み合わせし、その上部を自転車や車椅子等車両に実際に乗るか荷重をかけてタイヤを回転させ、実際の乗り心地を実体験に近い疑似体験により空気圧によるパンク等の検査・乗り心地等の検査を行なう装置。
【請求項２】
歩行訓練機等の走行ベルトや回転ドラムに実際路面上を走るのに似た路面状態を機械的あるいはＩＴプログラム等で制御・動作させて、その上部を自転車や車椅子等車両に実際に乗るか荷重をかけてタイヤを回転させ、実際の乗り心地を実体験に近い疑似体験により空気圧によるパンク等の検査・乗り心地等の検査を行なう装置。
【請求項３】
歩行訓練機等の走行ベルトや回転ドラム上に実際路面に似た路面を形成・組み合わせし、その上部を自転車や車椅子等車両に実際に乗るか荷重をかけてタイヤを回転させ、実際の乗り心地を実体験に近い疑似体験をさせる装置。
【請求項４】
歩行訓練機等の走行ベルトや回転ドラムに実際路面上を走るのに似た路面状態を機械的あるいはＩＴプログラム等で制御・動作させて、その上部を自転車や車椅子等車両に実際に乗るか荷重をかけてタイヤを回転させ、実際の乗り心地を実体験に近い疑似体験をさせる装置。
【請求項５】
実際に走りたい町や風景等を映像・ＣＧ・イラスト等の画像・音声などを表現する装置と、歩行訓練機等の走行ベルトや回転ドラムに実際路面に似た路面を形成・組み合わせし、及びその道路状態を機械的あるいはＩＴプログラム等で制御・動作させて、その上部を自転車や車椅子等車両に実際に乗るか荷重をかけてタイヤを回転させ、実際の乗り心地や実体験に近い疑似体験により実際に走りたい町や風景等での事前走行試験及び走行気分を味わうことが出来るようにする装置。
【請求項６】
請求項１〜５のいずれか１項に記載の装置によって考案された改良品及び成果物。
【考案の詳細な説明】
【技術分野】
【０００１】  本考案は、自転車や車椅子等車両の乗り心地検査兼実体験装置に関する。
【背景技術】
【０００２】  従来、自転車や車椅子等車両の検査においてその車両及び各部分の強度・耐久性を主目的として行なわれており、空気圧によるパンク等の検査・乗り心地等の検査が無いのが現状である。【０００３】  その為、実際の乗り心地は購入する際に販売店の勧めやカタログ及び試乗をして決めていた。【０００４】  その試乗も平坦地など少し走る程度で実際の買い物や通勤・通学・サイクリングなどの道路状況は想像の域を出ないものとなっている。【０００５】  また、サイクリングやトライアスロン自転車競技・車椅子での買い物等実際の道路状況は現地で認識するか、想像で考える為、実体験に近い疑似体験は出来ない。【０００６】  特願２００１−７０４７３号公報のようにトレーニング機器を使い、風景・町並み又は建造物からなる対象物を表すＣＧ画像を見ながらトレーニングをするものがあるが、あくまでも頭の中での想像の域を出ず、実際の自転車や車椅子等の車両を使ったとしてもその車両の乗り心地の判別・実体験に近い疑似体験は出来ない。【０００７】  特願２００４−２６１４８１号公報による仮想全方向移動電動車椅子の任意の機器パラメーターを設定し、また、任意の仮想道路面の路面パラメーターを設定し、仮想全方向移動電動車椅子を仮想的に走行させて、表示部に走行状態を表示し、シュミレーション結果を数値化するとともに可視化して、移動軌跡を表示するので、路面の摩擦係数の変化により、移動量と速度との移動軌跡がどのように変わるかということを直感的に把握できるというものであるが、あくまでも仮想車椅子・仮想路面での実験で乗り心地は個別実体験に近い疑似体験のものではなく、一般的・平均的なものとなる。【０００８】  登録実用新案第３０２８２９５号公報による車椅子サイクリング用訓練装置では舗装および凸凹路面における乗り心地・車椅子の乗り心地性能・タイヤ空気圧による乗り心地などの個別実体験に近い疑似体験をすることが出来ず、あくまでも訓練装置であり、車椅子による買い物や散歩での実体験に近い疑似体験も出来にくい。
【特許文献１】特願２００１−７０４７３号公報
【特許文献２】特願２００４−２６１４８１号公報
【特許文献３】登録実用新案第３０２８２９５号公報
【特許文献４】特願平１１−３３２９１７公報
【特許文献５】特願平１１−３３２９１８公報
【特許文献６】特許出願平６−５１８２１８公報
【特許文献７】特許出願平６−１０７３５８公報
【考案の開示】
【考案が解決しようとする課題】
【０００９】  自転車や車椅子等車両の検査においてその車両及び空気圧によるパンク等各部の検査・乗り心地等の検査ができるようにする。【００１０】  希望する実際の乗り心地を購入者に実体験に近い疑似体験により理解させ、自転車や車椅子等の車両の購入判断が出来るようにする。【００１１】  空気圧低下やパンク及び各部の欠陥による走行体験により、安全教育を喚起し、自転車や車椅子等車両の安全な取り扱い使用を促進し、交通事故等の減少に役立てる。
【課題を解決するための手段】
【００１２】上記の課題を解決するために、歩行訓練機等の走行ベルトや回転ドラム上に実際路面に似た路面を形成し、その上部を自転車や車椅子等車両に実際に乗るか荷重をかけてタイヤを回転させ、実際の乗り心地を実体験に近い疑似体験により空気圧によるパンク等の検査・乗り心地等の検査を行なう。【００１３】また、歩行訓練機等の走行ベルトや回転ドラムに実際路面上を走るのに似た路面状態を機械的あるいはＩＴプログラム等で制御・動作させて、その上部を自転車や車椅子等車両に実際に乗るか荷重をかけてタイヤを回転させ、実際の乗り心地を実体験に近い疑似体験により空気圧によるパンク等の検査・乗り心地等の検査を行なう。【００１４】さらに、歩行訓練機等の走行ベルトや回転ドラム上に実際路面に似た路面を形成し、その上部を自転車や車椅子等車両に実際に乗るか荷重をかけてタイヤを回転させ、実際の乗り心地を実体験に近い疑似体験により判断させる。【００１５】そして、歩行訓練機等の走行ベルトや回転ドラムに実際路面上を走るのに似た路面状態を機械的あるいはＩＴプログラム等で制御・動作させて、その上部を自転車や車椅子等車両に実際に乗るか荷重をかけてタイヤを回転させ、実際の乗り心地を実体験に近い疑似体験により判断させる。【００１６】加えて、実際に走りたい町や風景等を映像で映し出し、歩行訓練機等の走行ベルトや回転ドラムにその道路状態を機械的あるいはＩＴプログラム等で制御・動作させて、その上部を自転車や車椅子等車両に実際に乗るか荷重をかけてタイヤを回転させ、実際の乗り心地や実体験に近い疑似体験により実際に走りたい町や風景等での事前走行試験及び走行気分を味わうことが出来るようにする。
【考案の効果】
【００１７】  考案した自転車や車椅子等車両の乗り心地検査兼実体験装置によりその車両及び空気圧によるパンク等各部の検査・乗り心地等の検査ができる。【００１８】サイクリングやトライアスロン自転車競技・車椅子での買い物等実際の道路状況での実体験に近い疑似体験が出来る。【００１９】空気圧低下やパンク及び各部の欠陥による走行体験により、安全教育を喚起し、自転車や車椅子等車両の安全な取り扱い使用を促進し、交通事故等の減少に役立つ。
【考案を実施するための最良の形態】
【００２０】歩行訓練機等の走行ベルトや回転ドラム上に実際路面に似た路面を形成し、その上部を自転車や車椅子等車両に実際に乗るか荷重をかけてタイヤを回転させ、実際の乗り心地を実体験に近い疑似体験により空気圧によるパンク等の検査・乗り心地等の検査を行なう。【００２１】また、歩行訓練機等の走行ベルトや回転ドラムに実際路面上を走るのに似た路面状態を機械的あるいはＩＴプログラム等で制御・動作させて、その上部を自転車や車椅子等車両に実際に乗るか荷重をかけてタイヤを回転させ、実際の乗り心地を実体験に近い疑似体験により空気圧によるパンク等の検査・乗り心地等の検査を行なう。【００２２】さらに、歩行訓練機等の走行ベルトや回転ドラム上に実際路面に似た路面を形成し、その上部を自転車や車椅子等車両に実際に乗るか荷重をかけてタイヤを回転させ、実際の乗り心地を実体験に近い疑似体験により判断させる。【００２３】そして、歩行訓練機等の走行ベルトや回転ドラムに実際路面上を走るのに似た路面状態を機械的あるいはＩＴプログラム等で制御・動作させて、その上部を自転車や車椅子等車両に実際に乗るか荷重をかけてタイヤを回転させ、実際の乗り心地を実体験に近い疑似体験により判断させる。【００２４】加えて、実際に走りたい町や風景を映像等で映し出し、歩行訓練機等の走行ベルトや回転ドラムにその道路状態を機械的あるいはＩＴプログラム等で制御・動作させて、その上部を自転車や車椅子等車両に実際に乗るか荷重をかけてタイヤを回転させ、実際の乗り心地や実体験に近い疑似体験により実際に走りたい町や風景等での事前走行試験及び走行気分を味わうことが出来るようにする。
【実施例】
【００２５】図１のように歩行訓練機のベルト上面をアスファルト・段差・凸凹状態に加工し、そのベルト上面を自転車や車椅子で乗り、タイヤを回転させ、空気圧による走行状態・パンクの可能性等の検査・乗り心地検査で、空気圧低下によるリム打ちパンクの発生・乗り心地の悪さが確かめられた。
【図面の簡単な説明】
【００２６】
【図１】  歩行訓練機のベルト上面をアスファルト・段差・凸凹状態に加工し、そのベルト上面を自転車で乗り、タイヤを回転させる概略図である。
【図２】  実際に走りたい町や風景を映像で映し出し、歩行訓練機の回転ドラム上にその道路状態を機械的あるいはＩＴプログラム等で制御・動作させて、その上部を自転車で実際に乗ってタイヤを回転させ、実際の乗り心地や実体験に近い疑似体験により実際に走りたい町や風景での事前走行試験及び走行気分を味わうことが出来る概略図である。
【符号の説明】
【００２７】  １  人間
２  自転車
３  段差
４  ベルト
５  アスファルト
６  凸凹状態面
７  ベルト回転軸
８  映像機器
９  画像
１０  映像機器と制御機器との通信
１１  回転ドラム
１２  回転ドラムと制御機器との通信
１３  制御機器
１４  回転ドラム取り付け台
【図１】
0003130062.tif 000003
【図２】
0003130062.tif 000004
【手続補正書】
【提出日】平成18年11月15日(2006.11.15)
【手続補正１】
【補正対象書類名】実用新案登録請求の範囲
【補正対象項目名】全文
【補正方法】変更
【補正の内容】
【実用新案登録請求の範囲】
【請求項１】
歩行訓練機等の走行ベルトや回転ドラム上に実際路面に似た路面を形成・組み合わせし、その上部を自転車や車椅子等車両に実際に乗るか荷重をかけてタイヤを回転させ、実際の乗り心地を実体験に近い疑似体験により空気圧によるパンク等の検査・乗り心地等の検査を行なう装置。
【請求項２】
歩行訓練機等の走行ベルトや回転ドラムに実際路面上を走るのに似た路面状態を機械的あるいはＩＴプログラム等で制御・動作させて、その上部を自転車や車椅子等車両に実際に乗るか荷重をかけてタイヤを回転させ、実際の乗り心地を実体験に近い疑似体験により空気圧によるパンク等の検査・乗り心地等の検査を行なう装置。
【請求項３】
歩行訓練機等の走行ベルトや回転ドラム上に実際路面に似た路面を形成・組み合わせし、その上部を自転車や車椅子等車両に実際に乗るか荷重をかけてタイヤを回転させ、実際の乗り心地を実体験に近い疑似体験をさせる装置。
【請求項４】
歩行訓練機等の走行ベルトや回転ドラムに実際路面上を走るのに似た路面状態を機械的あるいはＩＴプログラム等で制御・動作させて、その上部を自転車や車椅子等車両に実際に乗るか荷重をかけてタイヤを回転させ、実際の乗り心地を実体験に近い疑似体験をさせる装置。
【請求項５】
実際に走りたい町や風景等を映像・ＣＧ・イラスト等の画像・音声などを表現する装置と、歩行訓練機等の走行ベルトや回転ドラムに実際路面に似た路面を形成・組み合わせし、及びその道路状態を機械的あるいはＩＴプログラム等で制御・動作させて、その上部を自転車や車椅子等車両に実際に乗るか荷重をかけてタイヤを回転させ、実際の乗り心地や実体験に近い疑似体験により実際に走りたい町や風景等での事前走行試験及び走行気分を味わうことが出来るようにする装置。